(57)【特許請求の範囲】
【請求項１】
略回転楕円体状の本体部と、
前記本体部の軸方向に沿って凸設され、使用者が該本体部を片手で把持するときに、親指の側面に当たることにより、該親指の位置を規制するストッパ部と、
前記ストッパ部から前記本体部の周方向に沿ってオフセットした位置に配設され、前記ストッパ部で規制された親指の指先から脈波信号を取得する脈波センサと、
前記ストッパ部側から見て前記本体部の背面側の先端部寄りの位置に形成された段差部と、を備え、
前記段差部は、人差し指を当該段差部に沿わせて前記本体部を把持すると、親指の指先が前記脈波センサの位置に導かれるように形成されていることを特徴とする把持型脈波測定装置。
【請求項２】
前記本体部は、前記脈波センサが配設されている領域が周囲の面よりも窪んでいることを特徴とする請求項１に記載の把持型脈波測定装置。
【請求項３】
略半円筒状に形成され、前記脈波センサの上方を覆うように配設された遮光カバーをさらに備え、
前記脈波センサは、発光素子と受光素子とを有し、光電脈波信号を取得する光電脈波センサであることを特徴とする請求項１又は２に記載の把持型脈波測定装置。
【請求項４】
前記遮光カバーは、前記本体部の周方向に揺動自在に取り付けられていることを特徴とする請求項３に記載の把持型脈波測定装置。
【請求項５】
前記遮光カバーは、該遮光カバーを開く方向に付勢する付勢部材を備え、前記本体部の基端部側から見た場合に、開いているときには、一方の端部が、前記ストッパ部よりも前記脈波センサ側に突出し、かつ、閉じているときには、前記一方の端部が、前記ストッパ部と略一致するように揺動自在に取り付けられていることを特徴とする請求項４に記載の把持型脈波測定装置。
【請求項６】
前記遮光カバーは、前記本体部の軸線方向と略平行に設けられた軸を揺動軸として揺動自在に取り付けられていることを特徴とする請求項４又は５に記載の把持型脈波測定装置。
【請求項７】
前記遮光カバーを閉じた状態でロックするロック機構をさらに備えることを特徴とする請求項４〜６のいずれか１項に記載の把持型脈波測定装置。
【発明の詳細な説明】
【技術分野】
【０００１】
本発明は、脈波信号を取得する把持型脈波測定装置に関する。
【背景技術】
【０００２】
近年、健康の管理や維持・増進に対する人々の関心が高まっている。そこでは、人々が、日常生活の中で、より手軽に例えば脈拍や心電などの生体情報を得られることが望まれている。ここで、特許文献１には、本体部を握りつつ、人差し指を指挿入部に挿入することにより脈波を測定する脈波測定装置が開示されている。また、特許文献２には、手で把持して使用できる脈波検出装置が開示されている。【０００３】
より具体的には、特許文献１の脈波測定装置は、被験者の指先を挿入可能で、指先の腹部に向けて発光素子と受光素子とが配置された指挿入部と、指先の挿入方向の手前側を支点として指挿入部を回動自在に支持する本体部とを備えている。そして、脈波測定を行う被験者は、右手又は左手で本体部を握りつつ、人差し指を指挿入部の挿入口から挿入することで、脈波を測定することができる。【０００４】
特許文献２の脈波検出装置では、本体部の中央付近に指の指先を挿入する脈波検出部が設けられており、この脈波検出部に可動部が移動可能に取り付けられている。なお、可動部はバネにより脈波検出部側に付勢されている。この装置でも、指を脈波検出部に挿入して脈波を測定する。
【先行技術文献】
【特許文献】
【０００５】
【特許文献１】特開２００９−６６０４２号公報
【特許文献２】特開平１０−４３１５０号公報
【発明の概要】
【発明が解決しようとする課題】
【０００６】
上述した特許文献１の脈波計測装置では、被験者が指を挿入するときに本体部が動かないように、該本体部を固定する必要がある。そのため、この脈波計測装置では、底面に滑り止め用のゴムを貼り付けて、本体部が滑って移動しないようにしている。よって、この脈波測定装置は、例えば、机の上などでしか使用することができず、使用場所が制限されるという問題がある。【０００７】
一方、特許文献２の脈波測定装置によれば、使用場所の制限は解消されるものの、人差し指を除く４本の指で装置を把持しつつ、人差し指を本体部の中央付近に設けられた脈波検出部に挿入する必要があり、不自然な動作を強いられる。また、不自然な持ち方になるため、脈波を長時間、安定して測定することが難しい。【０００８】
本発明は、上記問題点を解消する為になされたものであり、使用場所を選ばず、装置を自然に片手で握るだけで、安定して脈波を取得することが可能な把持型脈波測定装置を提供することを目的とする。
【課題を解決するための手段】
【０００９】
本発明に係る把持型脈波測定装置は、略回転楕円体状の本体部と、本体部の軸方向に沿って凸設され、使用者が該本体部を片手で把持するときに、親指の側面に当たることにより、該親指の位置を規制するストッパ部と、ストッパ部から本体部の周方向に沿ってオフセットした位置に配設され、ストッパ部で規制された親指の指先から脈波信号を取得する脈波センサと、ストッパ部側から見て、本体部の背面側の先端部寄りの位置に形成された段差部とを備え、該段差部が、人差し指を当該段差部に沿わせて本体部を把持すると、親指の指先が脈波センサの位置に導かれるように形成されていることを特徴とする。【００１０】
本発明に係る把持型脈波測定装置によれば、使用者が本体部を片手で把持するときに、親指の側面に当たることにより、該親指の位置を規制するように、ストッパ部が本体部の軸方向に沿って凸設されている。また、ストッパ部側から見て、本体部の背面側の先端部寄りの位置に段差部が形成されている。より詳細には、人差し指を当該段差部に沿わせて本体部を把持すると、親指が脈波センサの位置に導かれるように段差部が形成されている。よって、装置（本体部）を片手で把持する際に、ストッパ部及び段差部により、親指と人差し指を適切な把持位置に誘導することができる。そのため、装置（本体部）を把持すると、各指の位置が略一定に定まり、親指の指先の位置のばらつき（すなわち、脈波センサに対する位置のばらつき）を抑えることができる。その結果、使用場所の制限を受けることなく、装置を自然に片手で握るだけで、安定して脈波を取得することが可能となる。なお、上記段差部が人差し指にひっかかるため、本体部を強く握る必要がなく、装置（本体部）を比較的長時間把持したとしても疲れ難い。【００１１】
また、本発明に係る把持型脈波測定装置では、本体部の脈波センサが配設されている領域が周囲の面よりも窪んでいることが好ましい。【００１２】
このようにすれば、親指の指先の腹部を窪みに当てることにより、目視することなく、親指の指先を確実に脈波センサ上に合わせることができる。特に、遮光カバーによって脈波センサ（光電脈波センサ）を視認し難い場合であっても、親指の指先を置く位置（脈波センサの位置）が触覚で分かるため、親指の指先の横方向及び縦方向の位置ばらつきを抑えることができ、安定した脈波測定を行うことが可能となる。さらに、親指は第一関節を伸ばした状態で長時間保持すると疲れてくるが、脈波センサが周囲の面よりも窪んでいるために、親指が適度に曲げられた状態となり疲れ難くなる。【００１３】
本発明に係る把持型脈波測定装置は、略半円筒状に形成され、脈波センサの上方を覆うように配設された遮光カバーをさらに備え、上記脈波センサが、発光素子と受光素子とを有し、光電脈波信号を取得する光電脈波センサであることが好ましい。【００１４】
この場合、遮光カバーによって光電脈波センサが覆われて外乱光の侵入が防がれるため、安定して光電脈波信号を取得（測定）することができる。【００１５】
また、本発明に係る把持型脈波測定装置では、上記遮光カバーが、本体部の周方向に揺動自在に取り付けられていることが好ましい。【００１６】
このようにすれば、測定時に、装置（本体部）を片手で把持し、測定部位である親指を脈波センサの上に動かすとともに、遮光カバーを揺動させて閉じることにより、該遮光カバーによって親指が覆われて外乱光の侵入が防がれるため、安定した測定を行うことができる。【００１７】
本発明に係る把持型脈波測定装置では、遮光カバーが、該遮光カバーを開く方向に付勢する付勢部材を備え、本体部の基端部側から見た場合に、開いているときには、一方の端部が、ストッパ部よりも脈波センサ側に突出し、かつ、閉じているときには、一方の端部が、ストッパ部と略一致するように揺動自在に取り付けられていることが好ましい。【００１８】
このようにすれば、装置（本体部）を片手で把持し、測定部位である親指を脈波センサの上に動かす際に、親指に押されて遮光カバーが揺動して閉じるようにできる。一方、装置（本体部）を把持していないときは遮光カバーが自動的に開くようにできる。そのため、装置を把持する際に遮光カバーが邪魔になることがない。よって、装置（本体部）を把持する際に不自然な動作を強いられることなく、自然に把持することができる。【００１９】
本発明に係る把持型脈波測定装置では、遮光カバーが、本体部の軸線方向と略平行に設けられた軸を揺動軸として揺動自在に取り付けられていることが好ましい。【００２０】
このようにすれば、装置（本体部）を把持し、親指を横方向に滑らせて脈波センサ上に移動させるという一連の自然な動作により、遮光カバーを揺動させて親指の指先を覆うように閉じることができる。【００２１】
本発明に係る把持型脈波測定装置は、遮光カバーを閉じた状態でロックするロック機構をさらに備えることが好ましい。【００２２】
このようにすれば、装置を使用しないときには、遮光カバーを閉じた状態で固定することができるため、例えば、持ち運び時や落下したときなどでも破損する可能性を低減することが可能となる。
【発明の効果】
【００２３】
本発明によれば、使用場所を選ばず、装置を自然に片手で握るだけで、安定して脈波を取得することが可能となる。
【図面の簡単な説明】
【００２４】
【図１】実施形態に係る把持型脈波測定装置の外観（遮光カバーが閉じられた状態）を示す正面図、及び左右側面図である。
【図２】実施形態に係る把持型脈波測定装置の外観（遮光カバーが開かれた状態）を示す正面図、及び左右側面図である。
【図３】実施形態に係る把持型脈波測定装置を手で把持する際の状態（測定前の状態）を示す図である。
【図４】実施形態に係る把持型脈波測定装置を手で把持した状態（測定時の状態）を示す図である。
【図５】実施形態に係る把持型脈波測定装置の本体部表面に形成された窪み（凹部）を拡大して示した断面図である。
【図６】実施形態に係る把持型脈波測定装置の機能構成を示すブロック図である。
【図７】変形例に係る把持型脈波測定装置の外観、及び当該把持型脈波測定装置を手で把持した状態（測定時の状態）を示す図（正面図並びに左右側面図）である。
【発明を実施するための形態】
【００２５】
以下、図面を参照して本発明の好適な実施形態について詳細に説明する。なお、図中、同一又は相当部分には同一符号を用いることとする。また、各図において、同一要素には同一符号を付して重複する説明を省略する。
【００２６】
まず、図１〜図６を併せて用いて、実施形態に係る把持型脈波測定装置１の構成について説明する。図１は、実施形態に係る把持型脈波測定装置１の外観（遮光カバーが閉じられた状態）を示す正面図と左右側面図であり、図２は、把持型脈波測定装置１の外観（遮光カバーが開かれた状態）を示す正面図と左右側面図である。図３は、把持型脈波測定装置１を手で把持する際の状態（測定前の状態）を示す図であり、図４は、把持型脈波測定装置１を手で把持した状態（測定時の状態）を示す図である。また、図５は、把持型脈波測定装置１の本体部１０表面に形成された窪み（凹部）１７を拡大して示した断面図である。さらに、図６は、把持型脈波測定装置１の機能構成を示すブロック図である。
【００２７】
把持型脈波測定装置１は、使用者が片手で把持することで、親指の指先から光電脈波を取得し、脈拍数などを測定することができる把持型の脈波測定装置である。
【００２８】
把持型脈波測定装置１は、測定時に、使用者が右手（又は左手）の親指と他の４本の指で握る略回転楕円体状に形成された本体部１０を有している。本体部１０には、使用者が該本体部１０を片手で把持する際に、親指の中節・基節の側面に当たることにより、該親指の位置を規制する（止める）ストッパ部（係止部）１１が、本体部１０の軸方向（図１，２の一点鎖線参照）に沿って凸設されている。なお、本体部１０は、例えば樹脂などによって形成されることが好ましい。また、「略回転楕円体状」とは、幾何学で定義される厳密な意味での回転楕円体に限定されない意である。
【００２９】
本体部１０には、ストッパ部１１側から見て、背面側の中央よりも先端部寄りの位置に、本体部１０（装置１）を把持する際に、人差し指を適切な把持位置に誘導するための段差部１２（出っ張り）が形成されている。すなわち、人差し指をこの段差部１２に沿わせて握ることにより、各指の位置が略一定に定まり、親指の指先の縦方向位置のばらつき（すなわち、後述する光電脈波センサ２０に対する位置のばらつき）が抑えられる。
【００３０】
また、本体部１０には、遮光機能を有し、測定時に、後述する光電脈波センサ２０に外乱光が入射しないように遮光する遮光カバー（遮光部材）１３が、本体部１０の周方向に揺動することにより開閉自在に取り付けられている。遮光カバー１３は、測定時に使用者の親指を覆うことができるように、略半円筒状（湾曲した平面状）に形成されている。
【００３１】
より具体的には、遮光カバー１３は、本体部１０のストッパ部１１に沿って、該ストッパ部１１（本体部１０）の先端側に、該本体部１０の軸線方向と平行に設けられた軸を揺動軸１４として揺動自在に本体部１０に取り付けられている。より詳細には、遮光カバー１３は、本体部１０の基端部側から見た場合に、開いているときには、一方の端部（端辺）が、ストッパ部１１よりも光電脈波センサ２０側に突出し、かつ、閉じているときには、該一方の端部（端辺）が、ストッパ部１１の端面と略一致するように揺動自在に取り付けられている。
【００３２】
また、遮光カバー１３の揺動軸１４には、遮光カバー１３を開く方向に付勢する例えばバネなどの付勢部材１５が組み込まれている。そのため、遮光カバー１３は、ロックが外されており（詳細は後述する）、かつ使用者が本体部１０を把持していないときには、自動的に開くようになっている。そして、使用者が、本体部１０を把持する際に、親指をストッパ部１１に当たるまで動かす動作に伴い、親指の指先を覆うように揺動して閉じるようになっている。
【００３３】
また、遮光カバー１３は、例えば不使用時に、該遮光カバー１３を閉じた状態でロック（固定）するロック機構１６を有している。より具体的には、遮光カバー１３の一方の端部（端辺）に爪部１６ａが形成されるとともに、本体部１０の側面に、該爪部１６ａが嵌る溝部１６ｂが形成されている。そして、この溝部１６ｂに、遮光カバー１３の端部に形成された爪部１６ａが嵌ることにより、遮光カバー１３が本体部１０に固定（ロック）される。
【００３４】
本体部１０の、遮光カバー１３の揺動軸１４から本体部１０の周方向に沿ってオフセットした位置（本体部１０の中心線上の位置）には、光電脈波センサ２０が配設されている。光電脈波センサ２０は、発光素子２０１及び受光素子２０２を有し、ストッパ部１１によって規制された親指の指先から光電脈波信号を取得する。光電脈波センサ２０は、血中ヘモグロビンの吸光特性を利用して、光電脈波信号を光学的に検出するセンサである。
【００３５】
なお、ここで、本体部１０では、発光素子２０１及び受光素子２０２を有する光電脈波センサ２０の配設されている領域が、略楕円状に、周囲の面よりも窪ませてある。すなわち、光電脈波センサ２０は、本体部１０に形成された窪み１７の中心部に配設される。そのため、使用者は、親指の腹部を窪み（凹部）１７に当てることにより、目視することなく、親指の指先を確実に光電脈波センサ２０上に合わせることができる。より詳細には、図５に示されるように、窪み１７は、本体部１０の表面から２〜５ｍｍ程度凹んでいることが好ましい。
【００３６】
なお、図５において、２１０は遮光部であり、２２０は透明カバーである。遮光部２１０は、配線基板２１１の主面上に、発光素子２０１と受光素子２０２との間の領域に遮光性を有する樹脂が充填されることによって形成される。なお、遮光部２１０には、例えば、カーボンブラック等の遮光性のある粉末を含有するエポキシ樹脂等が好適に用いられる。また、透明カバー２２０は、例えば、透光性を有するアクリルやポリカーボネート、ＰＥＴ（ポリエチレンテレフタラート）等で形成される。
【００３７】
図６に示されるように、発光素子２０１は、後述する信号処理部３１の駆動部３５０から出力されるパルス状の駆動信号に応じて発光する。発光素子２０１としては、例えば、ＬＥＤ、ＶＣＳＥＬ（Ｖｅｒｔｉｃａｌ  Ｃａｖｉｔｙ  Ｓｕｒｆａｃｅ  Ｅｍｉｔｔｉｎｇ  ＬＡＳＥＲ）、又は共振器型ＬＥＤ等を用いることができる。なお、駆動部３５０は、発光素子２０１を駆動するパルス状の駆動信号を生成して出力する。
【００３８】
受光素子２０２は、発光素子２０１から照射され、親指を透過して、又は親指に反射して入射される光の強さに応じた検出信号を出力する。受光素子２０２としては、例えば、フォトダイオードやフォトトランジスタ等が好適に用いられる。本実施形態では、受光素子２０２として、フォトダイオードを用いた。
【００３９】
受光素子２０２は、信号処理部３１に接続されており、受光素子２０２で得られた検出信号（光電脈波信号）は信号処理部３１に出力される。信号処理部３１は、入力された光電脈波信号を処理して、脈拍数や脈拍間隔などを計測する。
【００４０】
ここで、本体部１０の内部には、信号処理部３１、及び計測した光電脈波信号や脈拍数などの生体情報を外部の機器に送信する無線通信モジュール６０が収納されている。また、本体部１０の内部には、光電脈波センサ２０や、信号処理部３１、無線通信モジュール６０などに電力を供給するバッテリ（図示省略）が収納されている。
【００４１】
信号処理部３１は、増幅部３２１、信号処理部３２０、ピーク検出部３２６、ピーク補正部３２８、及び脈拍数等計測部３３０を有している。また、上記信号処理部３２０は、アナログフィルタ３２２、Ａ／Ｄコンバータ３２３、ディジタルフィルタ３２４、２階微分処理部３２５を有している。
【００４２】
ここで、上述した各部の内、ディジタルフィルタ３２４、２階微分処理部３２５、ピーク検出部３２６、ピーク補正部３２８、脈拍数等計測部３３０は、演算処理を行うＣＰＵ、該ＣＰＵに各処理を実行させるためのプログラムやデータを記憶するＲＯＭ、及び演算結果などの各種データを一時的に記憶するＲＡＭ等により構成されている。すなわち、ＲＯＭに記憶されているプログラムがＣＰＵによって実行されることにより、上記各部の機能が実現される。
【００４３】
増幅部３２１は、例えばオペアンプ等を用いた増幅器により構成され、光電脈波センサ２０により検出された光電脈波信号を増幅する。増幅部３２１で増幅された光電脈波信号は、信号処理部３２０に出力される。
【００４４】
信号処理部３２０は、上述したように、アナログフィルタ３２２、Ａ／Ｄコンバータ３２３、ディジタルフィルタ３２４、２階微分処理部３２５を有しており、増幅部３２１で増幅された光電脈波信号に対して、フィルタリング処理及び２階微分処理を施すことにより拍動成分を抽出する。
【００４５】
アナログフィルタ３２２、及び、ディジタルフィルタ３２４は、光電脈波信号を特徴づける周波数以外の成分（ノイズ）を除去し、Ｓ／Ｎを向上するためのフィルタリングを行う。より詳細には、光電脈波信号は０．１〜数十Ｈｚ付近の周波数成分が支配的であるため、ローパスフィルタやバンドパスフィルタ等のアナログフィルタ３２２、及びディジタルフィルタ３２４を用いてフィルタリング処理を施し、上記周波数範囲の信号のみを選択的に通過させることによりＳ／Ｎを向上する。
【００４６】
なお、拍動成分の抽出のみを目的とする場合（すなわち、波形等を取得する必要がない場合）には、ノイズ耐性を向上するために通過周波数範囲をより狭くして拍動成分以外の成分を遮断してもよい。また、アナログフィルタ３２２とディジタルフィルタ３２４は必ずしも両方備える必要はなく、アナログフィルタ３２２とディジタルフィルタ３２４のいずれか一方のみを設ける構成としてもよい。なお、アナログフィルタ３２２、ディジタルフィルタ３２４によりフィルタリング処理が施された光電脈波信号は、２階微分処理部３２５へ出力される。
【００４７】
２階微分処理部３２５は、光電脈波信号を２階微分することにより、２階微分脈波（加速度脈波）を取得する。取得された加速度脈波は、ピーク検出部３２６へ出力される。なお、光電脈波の立ち上がり点は変化が明確でなく検出しにくいことがあるため、加速度脈波に変換してピーク検出を行うことが好ましいが、２階微分処理部３２５を設けることは必須ではなく、省略した構成としてもよい。
【００４８】
ピーク検出部３２６は、信号処理部３２０によりフィルタリング処理が施された光電脈波信号（加速度脈波）のピークを検出する。なお、ピーク検出部３２６は、脈拍間隔の正常範囲内においてピーク検出を行い、検出したすべてのピークについて、ピーク時間、ピーク振幅等の情報をＲＡＭ等に保存する。
【００４９】
ピーク補正部３２８は、信号処理部３２０（アナログフィルタ３２２、ディジタルフィルタ３２４、２階微分処理部３２５）における光電脈波信号の遅延時間を求める。ピーク補正部３２８は、求めた光電脈波信号の遅延時間に基づいて、ピーク検出部３２６により検出された光電脈波信号（加速度脈波）のピークを補正する。補正後の光電脈波信号（加速度脈波）のピークは、脈拍数等計測部３３０に出力される。
【００５０】
脈拍数等計測部３３０は、ピーク補正部３２８により補正された光電脈波信号（加速度脈波）のピークの間隔から脈拍数を求める。また、脈拍数等計測部３３０は、脈拍間隔や、脈拍間隔変化率なども算出する。
【００５１】
なお、取得された脈拍数や、脈拍間隔、脈拍間隔変化率などの計測データは、無線通信モジュール６０を介して、例えば、ＰＣや、ディスプレイを有する携帯型音楽プレーヤ、又はスマートフォン等に送信される。なお、その場合には、計測結果や検出結果に加えて、計測日時等のデータも送信することが好ましい。
【００５２】
次に、把持型脈波測定装置１の使用方法について説明する。この把持型脈波測定装置１を用いて光電脈波信号を検出し、脈拍数などを計測する際には、図３，４に示されるように、把持型脈波測定装置１を右手（又は左手）の親指と他の４本の指で握る。なお、その際に、上述したように、ロックが外されており、かつ使用者が本体部１０を把持していないときには、遮光カバー１３が自動的に開くようになっているため、使用者は把持型脈波測定装置１を自然に握ることができる。
【００５３】
また、使用者が、本体部１０を把持する際に、親指をストッパ部１１に当たるまで（図３，４の例では右側から左側へ）動かすことにより、遮光カバー１３の端部（端辺）が親指に押され、遮光カバー１３が親指の指先を覆うように揺動して閉じる。そして、窪み１７に親指の腹部を当てることにより、親指の指先を光電脈波センサ２０に接触させる。
【００５４】
そうすることにより、光電脈波センサ２０によって親指の指先から光電脈波信号が取得される。そして、信号処理部３１により脈拍数等が測定される。なお、脈拍数等の測定方法については上述した通りであるので、ここでは詳細な説明を省略する。
【００５５】
このようにして、使用者は、把持型脈波測定装置１を把持するだけで、光電脈波信号や脈拍数などを検出・計測することができる。なお、検出・計測された光電脈波信号や脈拍数などの情報は、無線通信モジュール６０によって外部の機器に送信される。
【００５６】
以上、詳細に説明したように、本実施形態によれば、装置１（本体部１０）を片手で把持し、測定部位である親指を光電脈波センサ２０の上に動かす際に、ストッパ部１１によって親指を光電脈波センサ２０上に容易に位置決めすることができる。また、その際に、親指に押されて遮光カバー１３が揺動して閉じることにより、該遮光カバー１３によって親指が覆われて外乱光の侵入が防がれるため、安定した測定を行うことができる。その結果、使用場所を選ばず、装置１を自然に片手で握るだけで、外乱光の影響を受けずに安定して脈波を取得することが可能となる。
【００５７】
また、本実施形態によれば、上記遮光カバー１３が、該遮光カバー１３を開く方向に付勢する付勢部材１５を備えているため、装置１（本体部１０）を把持していないときは遮光カバー１３が自動的に開くようにできる。そのため、装置１を把持する際に遮光カバー１３が邪魔になることがない。よって、装置１（本体部１０）を把持する際に不自然な動作を強いられることなく、自然に把持することができる。
【００５８】
本実施形態によれば、遮光カバー１３が、本体部１０の軸線方向と略平行に設けられた軸を揺動軸１４として揺動自在に取り付けられているため、装置１（本体部１０）を把持し、親指を横方向に滑らせて光電脈波センサ２０上に移動させるという一連の自然な動作により、遮光カバー１３を揺動させて親指の指先を覆うように閉じることができる。
【００５９】
本実施形態によれば、本体部１０に、ストッパ部１１側から見て、背面側の先端部寄りの位置に段差部１２が形成されている。そのため、装置１（本体部１０）を把持する際に、人差し指を段差部１２に沿わせて握ることにより、人差し指を適切な把持位置に誘導することができる。その結果、装置１（本体部１０）を把持する際に、各指の位置が略一定に定まるため、親指の指先の縦方向位置のばらつき（すなわち、光電脈波センサ２０に対する位置のばらつき）を抑えることが可能となる。
【００６０】
本実施形態によれば、本体部１０の、光電脈波センサ２０が配設されている領域が周囲の面よりも窪んでいる。そのため、親指の腹部を窪み１７に当てることにより、目視することなく、親指の指先を確実に光電脈波センサ２０上に合わせることができる。
【００６１】
本実施形態によれば、遮光カバー１３を閉じた状態でロック（固定）するロック機構１６を備えているため、装置１を使用しないときには、遮光カバー１３を閉じた状態で固定することができるため、例えば、持ち運び時や落下したときなどでも破損する可能性を低減することが可能となる。
【００６２】
上述した実施形態では、遮光カバー１３が揺動可能（開閉可能）に構成されていたが、遮光カバー１３が固定された構成、すなわち、遮光カバー１３の開閉機構（揺動軸１４、付勢部材１５、ロック機構１６等）を有しない構成としてもよい。
【００６３】
そこで、次に、図７を用いて、変形例に係る把持型脈波測定装置１Ｂについて説明する。ここでは、上述した実施形態と同一・同様な構成については説明を簡略化又は省略し、異なる点を主に説明する。図７は、変形例に係る把持型脈波測定装置１Ｂの外観、及び当該把持型脈波測定装置１Ｂを手で把持した状態（測定時の状態）を示す図（正面図並びに左右側面図）である。なお、図７において上記実施形態と同一又は同等の構成要素については同一の符号が付されている。
【００６４】
把持型脈波測定装置１Ｂは、遮光カバー１３Ｂが閉じられた状態で固定されている（すなわち、開閉機構（揺動軸１４、付勢部材１５、ロック機構１６等）を有しない）点で、上述した把持型脈波測定装置１と異なっている。なお、遮光カバー１３Ｂは、略半円筒状に形成され、光電センサ２０の上方を覆うように配設されている。その他の構成は上述した把持型脈波測定装置１と同一であるので、ここでは詳細な説明を省略する。
【００６５】
本変形例によれば、上述した実施形態と同様に、装置１Ｂ（本体部１０Ｂ）を片手で把持する際に、ストッパ部１１及び段差部１２により、親指と人差し指を適切な把持位置に誘導することができる。そのため、装置１Ｂ（本体部１０Ｂ）を把持すると、各指の位置が略一定に定まり、親指の指先の位置のばらつき（すなわち、光電脈波センサ２０に対する位置のばらつき）を抑えることができる。その結果、使用場所の制限を受けることなく、装置１Ｂを自然に片手で握るだけで、安定して脈波を取得することが可能となる。なお、段差部１２が人差し指にひっかかるため、本体部１０Ｂを強く握る必要がなく、装置１Ｂ（本体部１０Ｂ）を比較的長時間把持したとしても疲れ難い。
【００６６】
また、本変形例によれば、遮光カバー１３Ｂによって光電脈波センサ２０が覆われて外乱光の侵入が防がれるため、安定して光電脈波信号を取得（測定）することができる。
【００６７】
本変形例によれば、本体部１０Ｂの光電脈波センサ２０が配設されている領域が周囲の面よりも窪んでいるため、親指の指先の腹部をこの窪み１７に当てることにより、目視することなく、親指の指先を確実に光電脈波センサ２０上に合わせることができる。特に、遮光カバー１３Ｂによって光電脈波センサ２０を視認し難い場合であっても、親指の指先を置く位置（光電脈波センサ２０の位置）が触覚で分かるため、親指の指先の横方向及び縦方向の位置ばらつきを抑えることができ、安定した脈波測定を行うことが可能となる。さらに、親指は第一関節を伸ばした状態で長時間保持すると疲れてくるが、光電脈波センサ２０が周囲の面よりも窪んでいるために、親指が適度に曲げられた状態となり疲れ難くなる。
【００６８】
さらに、本変形例によれば、遮光カバー１３Ｂが可動部（開閉機構）を有しないため、把持型脈波測定装置１Ｂの軽量化、低コスト化などを図ることができ、また耐久性の向上を図ることができる。
【００６９】
以上、本発明の実施の形態について説明したが、本発明は、上記実施形態に限定されるものではなく種々の変形が可能である。例えば、上記実施形態では、右手で装置１を把持する場合を例にして説明したが、把持型脈波測定装置１は、右手で把持する右利き用と、左手で把持する左利き用とで、ストッパ部１１が左右対称となるように形状を異ならせてもよい。
【００７０】
また、上記実施形態では、親指の左側面に当たるようにストッパ部１１を形成したが、親指の右側面に当たるように（上記実施形態とは左右が対称になるように）ストッパ部１１を形成してもよい。
【００７１】
また、上記実施形態では、把持型脈波測定装置１が、光電脈波センサ２０を備えていたが、光電脈波センサ２０に代えて、例えば、圧電脈波センサや酸素飽和度センサを用いてもよい。
【００７２】
上記実施形態では、無線通信モジュール６０によって、検出・計測された光電脈波信号や脈拍数などの情報（計測データ）を外部の機器に送信したが、計測中は、取得された情報（計測データ）を、装置内のメモリに保存しておき、計測終了後に外部機器に接続してデータを転送するようにしてもよい。
【符号の説明】
【００７３】
１，１Ｂ  把持型脈波測定装置
１０，１０Ｂ  本体部
１１  ストッパ部
１２  段差部
１３，１３Ｂ  遮光カバー
１４  揺動軸
１５  付勢部材
１６  ロック機構
１７  窪み
２０  光電脈波センサ
２０１  発光素子
２０１  受光素子
６０  無線通信モジュール
【図１】
0006690726.tif 000002
【図２】
0006690726.tif 000003
【図３】
0006690726.tif 000004
【図４】
0006690726.tif 000005
【図５】
0006690726.tif 000006
【図６】
0006690726.tif 000007
【図７】
0006690726.tif 000008